(57)【要約】本発明は、装飾要素ＤＥの製造方法、及びこのように製造された装飾要素ＤＥの使用に、関する。アナライザとして機能する偏光層ＰＳを、透明光学キャリア材料ＴＭに塗布し、透明光学機能層ＦＳを、光学異方性材料ＯＡＭからなる画像形成層ＢＳとして、他方側に塗布する。画像形成法で機能層ＦＳを空間的に構造化することによって、画像モチーフＢＭの形態で画像形成層ＢＳを生成するために、光学異方性材料ＯＡＭの材料特性における目標位置に依存する依存性が、生成される。本発明によって製造される１つ又は複数の装飾要素ＤＥは、それぞれ、所望の形状、サイズ及び量で照明装置ＢＶの光場に導入され、設定可能な画像モチーフＢＭ(画像構造）を有し、異なる空間距離に配置され、自由に配置可能である。さらに、本発明によって製造される装飾要素は、装置の点では、建物の外装領域において光光学効果を生み出すための建築要素として、インテリアデザイン又はオブジェクトデザインのためのデザイン要素として、使用されることを意図されている。【選択図】図１
2022500686.tif 000002
【特許請求の範囲】
【請求項１】
装飾要素（ＤＥ）の製造方法であって、
平面又は曲面を有し、ガラス基板又はプラスチック基板からなる透明光学キャリア材料（ＴＭ）を提供するステップと、
アナライザとして機能する偏光層（ＰＳ）を、前記キャリア材料（ＴＭ）の一方側に塗布するステップと、
層厚を有する光学異方性材料（ＯＡＭ）からなる画像形成層（ＢＳ）として、透明光学機能層（ＦＳ）を、前記キャリア材料（ＴＭ）の他方側に塗布するステップと、
画像モチーフ（ＢＭ）の形態で前記画像形成層（ＢＳ）を生成するための前記光学異方性材料（ＯＡＭ）の材料特性における目標位置に依存する依存性によって、画像形成空間的に前記機能層（ＦＳ）を構造化するステップと、を含み、
その結果、前記画像モチーフ（ＢＭ）に従って定められた偏光干渉色（ＰＩＦ）を有する設定可能な色コントラストは、偏光で照らされることによって前記装飾要素（ＤＥ）の照らされた表面に表示可能である、装飾要素の製造方法。
【請求項２】
透過偏光層（ＰＳｔ）が、照射装飾要素（ＤＥ）を製造するための偏光層（ＰＳ）として使用される、又は反射偏光層（ＰＳｒ）が、反射装飾要素（ＤＥ）を製造するための偏光層（ＰＳ）として使用される、ことを特徴とする請求項１に記載の装飾要素の製造方法。
【請求項３】
前記光学異方性材料（ＯＡＭ）の前記材料特性における前記目標位置に依存する依存性は、ａ）光学異方性の変化、ｂ）層厚の変化、ｃ）局所配置の変化、のうちの１つ又は複数の局所変化によって、もたらされる、ことを特徴とする請求項１又は２に記載の装飾要素の製造方法。
【請求項４】
定められた方法で設定可能な局所光路差（ＬＯＧ）は、前記光学異方性材料（ＯＡＭ）の前記材料特性における前記目標位置に依存する依存性によって、実現されており、前記局所光路差（ＬＯＧ）の各値は、前記画像モチーフ（ＢＭ）を決定する１つの定められた偏光干渉色（ＰＩＦ）に対応する、ことを特徴とする請求項１から３のいずれか１つに記載の装飾要素の製造方法。
【請求項５】
前記局所光路差（ＬＯＧ）は、前記装飾要素（ＤＥ）の表面における全面又は定められた部分に亘って、特定の設定可能な一定値を有するように実現される、ことを特徴とする請求項４に記載の装飾要素の製造方法。
【請求項６】
前記局所光路差（ＬＯＧ）は、前記装飾要素（ＤＥ）の前記表面における前記定められた部分に対して均一な態様で実現され、前記設定可能な一定値がゼロ付近になり、これによって、前記装飾要素（ＤＥ）の前記均一な表面に対して各前記偏光干渉色（ＰＩＦ）が無彩色に生成される、ことを特徴とする請求項５に記載の装飾要素の製造方法。
【請求項７】
前記機能層（ＦＳ）を形成するために、配向層（ＯＳ）が前記キャリア材料（ＴＭ）に先ず塗布され、液晶をベースにしたＬＣ材料（ＬＣ）が光学異方性材料（ＯＡＭ）として上部に塗布される、ことを特徴とする請求項１に記載の装飾要素の製造方法。
【請求項８】
前記ＬＣ材料（ＬＣ）は、コーティング法とそれに続く硬化法によって、又はプリント技術によって塗布される、ことを特徴とする請求項７に記載の装飾要素の製造方法。
【請求項９】
前記機能層（ＦＳ）を形成するために、光学異方性材料（ＯＡＭ）としてフィルム材料（ＦＯ）が塗布される、ことを特徴とする請求項１に記載の装飾要素の製造方法。
【請求項１０】
前記フィルム材料（ＦＯ）は、積層によって塗布される、ことを特徴とする請求項９に記載の装飾要素の製造方法。
【請求項１１】
適切な処理手段によって前記フィルム材料（ＦＯ）において目標の空間構造複屈折が誘起される、又は画像モチーフ（ＢＭ）を生成するために、前記フィルム材料（ＦＯ）における既存の固有光学異方性が利用される、及び／又は目的の方法でフォローアップ処理が提供される、ことを特徴とする請求項９又は１０に記載の装飾要素の製造方法。
【請求項１２】
複数の透明光学機能層（ＦＳｉ）は、異なる画像モチーフ（ＢＭｉ）を有する画像形成層（ＢＳｉ）として塗布され、定められた方法で互いに重ね合わされ、複合材料（Ｖ）を形成し、結果として生じる相互作用光学機能層（ＦＳｒ）に結合され、前記複合材料（Ｖ）のための結果として生じる有効局所光路差（ＬＯＧｒ）を生成する、ことを特徴とする請求項１から１１のいずれか１つに記載の装飾要素の製造方法。
【請求項１３】
前記光学異方性材料（ＯＡＭ）がフィルム材料（ＦＯ）として実現される場合、複数のフィルム層（ＦＯｉ）は、積層として前記キャリア材料（ＴＭ）に塗布される、ことを特徴とする請求項１２に記載の装飾要素の製造方法。
【請求項１４】
個々の前記フィルム層（ＦＯｉ）は、特定の定められた局所領域に亘って延びており、各々は、各前記モチーフに基づいて設定可能な、異なる定められた凹部及び／又は切欠きを有する、ことを特徴とする請求項１３に記載の装飾要素の製造方法。
【請求項１５】
光光学効果が、可変偏光方向を有する非偏光又は偏光を発する外部照明装置（ＢＶ）との相互作用における光路のみを介して、目的の方法で、生成され且つ影響されており、以下の動作モードが、実現される、ことを特徴とする請求項１から１４のいずれか１つに記載の装飾要素の使用。
ａ）ニュートラルモード（ＮＭ）：前記装飾要素（ＤＥ）が、非偏光によって照らされたときに偏光干渉色（ＰＩＦ）を有さず、したがって、前記画像形成層（ＢＳ）における潜在的な前記カラーグラフィックモチーフ（ＦＭ）は、原則として不可視のままである
ｂ）プレゼンスモード（ＰＭ）：前記装飾要素（ＤＥ）は、偏光で照らされており、前記カラーグラフィックモチーフ（ＦＭ）は、前記定められた偏光干渉色（ＰＩＦ）に従って、可視的に表示される
ｃ）カラーバリエーションモード（ＦＶＭ）：定められた無段階のカラーバリエーションは、前記カラーバリエーションモード（ＦＶＭ）において、カラーグラフィックモチーフ（ＦＭ）内の前記定められた偏光干渉色（ＰＩＦ）によって、可能であり、前記装飾要素（ＤＥ）における前記カラーバリションは、偏光の偏光方向の変化によってもたらされる
【請求項１６】
前記照明装置（ＢＶ）における前記動作モード（ニュートラルモード（ＮＭ）、プレゼンスモード（ＰＭ）及びカラーバリエーションモード（ＦＶＭ））の選択及び実行は、偏光フィルター（ＰＦ）により実現される調整手段（Ｍ）及び前記照明の光路におけるその各位置によって行われる、ことを特徴とする請求項１５に記載の装飾要素の使用。
【請求項１７】
前記調整手段（Ｍ）による特定の動作モードの選択及び実行は、ａ）前記偏光フィルター（ＰＦ）を前記光路から除去することによって前記ニュートラルモード（ＮＭ）に対して、ｂ）前記偏光フィルター（ＰＦ）を前記光路に導入することよって前記プレゼンスモード（ＰＭ）に対して、及びｃ）前記偏光フィルター（ＰＦ）を適切に回転させることによって前記カラーバリエーションモード（ＦＶＭ）に対して、行われており、前記ニュートラルモード（ＮＭ）における消失と、前記プレゼンスモード（ＰＭ）における視認と、前記カラーバリエーションモード（ＦＶＭ）における前記カラーバリエーションと、の間で任意に切り換え可能である、ことを特徴とする請求項１６に記載の装飾要素の使用。
【請求項１８】
建物の外部領域に光光学効果を生じさせるための建築要素としての、又は、インテリアデザイン若しくはオブジェクトデザインのためのデザイン要素としての、請求項１から１４のいずれか１つに記載の装飾要素の使用。
【請求項１９】
符号保持要素としての実施形態を、特徴とする請求項１８に記載の装飾要素の使用。
【請求項２０】
純粋にパッシブ材料からなる前記装飾要素（ＤＥ）の機械的処理、切断、又は適切なカスタマイズが、一般的な工具を使用して実現される場合における使用を、特徴とする請求項１８に記載の装飾要素の使用。
【請求項２１】
ゼロ付近に設定可能な一定値を有する反射偏光層（ＰＳｒ）及び前記局所光路差（ＬＯＧ）を備え、前記装飾要素（ＤＥ）は、表示されるオブジェクト（Ｏ）が提示される背景面（Ｈ）として配置されており、前記オブジェクト（Ｏ）及び前記背景面（Ｈ）は、照明装置（ＢＶ）によって共同で照らされており、その結果、前記オブジェクト（Ｏ）及び前記背景（Ｈ）の両方を含む光場（ＬＦ）における光度が変化しない場合に、前記共同で照らされる前記オブジェクト（Ｏ）の輝度が前記照明装置（ＢＶ）の偏光方向を変化させることによって変化しないままの一方、前記背景面（Ｈ）の輝度のみが無段階に調光可能である、ことを特徴とする請求項６から１４のいずれか１つに記載の装飾要素の使用。
【発明の詳細な説明】
【技術分野】
【０００１】
本発明は、装飾要素の製造方法、及びこのように製造された装飾要素の使用に、関する。
【背景技術】
【０００２】
特定のグラフィック、ビジュアル又はテキストデザインを表示し、特定の色、ペイント、物質又はコーティング（これらは、一般に、特定の物質ベースのカラー顔料（染料）を使用して製造される）が、それぞれの装飾表面をデザインするために一般に使用される性質を有する装飾要素が、知られている。
【０００３】
同様に、実際のカラー値を超える追加の光学効果を有する特殊顔料が知られており、それによって、特に対応する装飾要素を製造することもできる。
【０００４】
装飾コーティングは、例えば、異なる視角において、又はそれらの反射挙動に関して、特定の光学効果を有することが、知られている。対応する装飾要素の製造及び装飾デザインのために、多数の効果顔料、特に特定の干渉顔料、多層顔料、金属効果顔料又はゴニオクロマティック顔料が使用される。したがって、特定の干渉現象を有するこれらの所謂光沢又は効果顔料は、例えば、自動車塗料、あらゆる種類の装飾コーティング、並びに、プラスチック、塗料及びインクの着色のために、非常に汎用的に使用される。
【０００５】
ＥＰ０７２７４７２Ａ１には、特に自動車ボディ用のエフェクト塗料が記載されており、このエフェクト塗料では、光学効果は、所謂カラーフロップからなり、これにより、光の入射に応じて変化した色印象（ゴニオクロマティック顔料）が現れる。
【０００６】
ＥＰ１６２４０３０Ａ２は、２つの異なる顔料、弱く着色された銀色干渉顔料及び補色の弱く着色された干渉顔料を使用する、銀色並びにカラーニュートラルの顔料混合物を有する金属効果顔料を、示す。
【０００７】
ＥＰ１６２０５１１Ａ２は、高い被覆力を有し、小板状の無機基板を含み、ＦｅＴｉＯ３を含有する層を有する干渉顔料を、記載している。
【０００８】
米国特許第８，５００，９０１Ｂ２号は、フレーク状基板をベースとし、高屈折率又は低屈折率を有する層からなる干渉顔料を、開示している。
【０００９】
上述の装飾要素は、特定の公知の装飾着色料、塗料又はコーティングによって製造される。この目的のために、特定の着色顔料が例外なく使用され、ここで、それぞれの着色の生成及び装飾パターンの製造は、それぞれの場合において、１つの特定の物質ベース及びこれらの顔料のそれぞれの色に、基づく。
【００１０】
効果顔料の特別なケースでは、これによって、各色に加えて装飾要素に特定の追加の光学効果を生成することができ、これらの効果は、本質的に、薄層における干渉現象の公知の基本的な光学効果に、基づく。しかしながら、ゴニオクロマティック効果のようなこれらの効果は、カラーフロップ効果のような少数の効果に限定された外観のみを、示す。
【００１１】
全ての公知の装飾要素又は装飾表面は、一方では、その光学画像を含む選択されたモチーフ又は装飾が永久に見えるままであり、他方では、それぞれの外観が目標の方法で瞬時に変更可能ではない、という意味で不利である。
【００１２】
この欠点は、最終的に、装飾要素の製造方法において、基本的に永久に見える公知の着色顔料又は特定の物質ベースの着色粒子が塗布される、という事実に基づいている。
【００１３】
適切な照明装置に関連した光学効果のディスプレイも、知られている。
【００１４】
ＥＰ２４９９５３８Ｂ１は、動的に制御可能な光変調機能を有する照明装置が、投影面としての表示オブジェクトと組み合わせて光光学効果を発生させるシステムを、示す。
【００１５】
しかしながら、このようなシステムは、光変調照明装置と表示オブジェクトとの間の動的相互作用のため、比較的複雑な装置である。
【発明の概要】
【発明が解決しようとする課題】
【００１６】
したがって、本発明の目的は、物質ベースのカラー顔料が使用されず、製造される装飾要素が、適切な照明装置に関連して、設定可能なカラーグラフィックモチーフを、製造、表示及び変更するのに役立つ、装飾要素を製造するための方法を、提案することにある。
【課題を解決するための手段】
【００１７】
この目的は、平面又は曲面を有し、ガラス基板又はプラスチック基板からなる透明光学キャリア材ＴＭを提供するステップと、アナライザとして機能する偏光層ＰＳを、前記キャリア材料ＴＭの一方側に塗布するステップと、層厚を有する光学異方性材料ＯＡＭからなる画像形成層ＢＳとして、透明光学機能層ＦＳを、前記キャリア材料ＴＭの他方側に塗布するステップと、画像モチーフＢＭの形態で前記画像形成層ＢＳを生成するための前記光学異方性材料ＯＡＭの材料特性における目標位置に依存する依存性によって、画像形成空間的に前記機能層ＦＳを構造化するステップと、を含む製造方法によって達成される。その結果、前記画像モチーフＢＭに従って定められた偏光干渉色ＰＩＦを有する設定可能な色コントラストは、偏光で照らされることによって前記装飾要素ＤＥの照らされた表面に表示可能である。
【００１８】
平面又は曲面を有するガラス基板又はプラスチック基板からなる透明光学キャリア材料ＴＭに、アナライザとして機能する偏光層ＰＳを、横面に先ず塗布する。他方側では、光学異方性材料ＯＡＭからなる画像形成層ＢＳとして、特定の層厚を有する透明光学機能層ＦＳを、キャリア材料ＴＭに、塗布する。
【００１９】
有利には、装飾要素ＤＥは、任意の形状、例えば、平面若しくは湾曲した形状を有する平坦なオブジェト、又はプロファイルされた表面要素、又は有形のオブジェクトに形成されてもよい。
【００２０】
画像形成法で機能層ＦＳを空間的に構造化することによって、画像モチーフＢＭの形態で画像形成層ＢＳを生成するための次のステップにおいて、光学異方性材料ＯＡＭの材料特性における目標位置に依存する依存性が、生成される。
【００２１】
さらに、画像形成層ＢＳは、例えば、実質的に無制限の数の色相を有し、各々が、所望色パレットを有し、自由なデザインの目的で使用することが可能な、異なる色の濃さ及び色コントラストを有するパターン、フォント又はモチーフを含むことができる。
【００２２】
このようにして、装飾要素ＤＥにおける芸術的又はグラフィック表面のカラーデザインのための代替方法が提示され、その製造中に、物質ベースの色彩顔料は使用されず、代わりに、適切な照明装置ＢＶと関連して使用することによって、純粋に物理的な方法で装飾要素ＤＥに多色色彩コントラストを生成してデザインすることが可能になる装飾要素ＤＥを製造するために、複雑ではなく単純な方法が適用され、これから、本発明によれば、特定の特性、構造及び配置を有する特定の透明材料が使用される。
【００２３】
本発明による方法によれば、装飾要素ＤＥは、特定の配置の適切なパッシブ材料からなり、装飾要素ＤＥは、本方法に従って照らされることに関連して、それゆえ、特定の新しい光光学機能を有し、この場合にのみ、そうでなければ潜在的なモチーフのそれぞれのカラーグラフィックデザインが視覚的に現れる一方、装飾要素ＤＥが自然又は他の一般的な人工光源によって照らされる場合に、光学現象は見えなくなる。
【００２４】
パッシブ材料からなり、装飾要素ＤＥに含まれる光学機能層ＦＳは、さらに、本発明に従って定められ、定められた光学異方性の形態の特定の材料特性を有する特定の内部材料特性によって、特徴付けられ、これは、さらに、この材料特性の局所的な変化又は修正のために、設定可能な潜像モチーフＢＭがインプリントされることを可能にする。
【００２５】
さらに、パッシブ材料が安価に利用可能であり、容易に大量生産できるという点で有利であり、これらの材料は、様々な表面特性及び組成を有する複数の材料、形状、プロファイルを使用して便利に製造できるように、単純さ、頑丈さ、並びに共通の処理及び組立技術の適用性によって、特徴付けられる。
【００２６】
さらなる実施形態では、透過偏光層ＰＳｔが、照射装飾要素ＤＥを製造するための偏光層ＰＳとして使用される、又は反射偏光層ＰＳｒが、反射装飾要素ＤＥを製造するための偏光層ＰＳとして使用される。
【００２７】
したがって、観察者の側に透過偏光層ＰＳｔを有する透過装飾要素ＤＥは、例えば、透過窓要素に有利に使用されることができ、それらは、それぞれ、対応するバックライトを含むことも可能な特定の配置を有してもよい。
【００２８】
一方、結果的に反射偏光層ＰＳｒを有する反射装飾要素ＤＥは、全ての非透明な建築要素又はデザイン要素（下記参照）のために有利に使用されることができ、前記反射偏光層ＰＳｒは、画像形成層ＢＳの後ろに配置され、したがって、装飾要素ＤＥに当たる光は、観察者の方向に反射される。
【００２９】
有利には、前記光学異方性材料ＯＡＭの前記材料特性における前記目標位置に依存する依存性は、ａ）光学異方性の変化、ｂ）層厚の変化、ｃ）局所配置の変化、のうちの１つ又は複数の局所変化によって、もたらされる。
【００３０】
光学異方性材料ＯＡＭの空間的構造化、及び、したがって材料特性における位置依存変化によるイメージモチーフＢＭの製造は、したがって、光学異方性、層厚、又は局所配向に影響することによって、もたらされ得る。
【００３１】
さらに、定められた方法で設定可能な局所光路差ＬＯＧは、前記光学異方性材料ＯＡＭの前記材料特性における前記目標位置に依存する依存性によって、実現されており、前記局所光路差ＬＯＧの各値は、前記画像モチーフＢＭをインプリントする１つの定められた偏光干渉色ＰＩＦに対応する。
【００３２】
それぞれの画像情報のこのインプリントは、画像形成層ＢＳを生成するための機能層ＦＳの特定の材料特性における使用及び目標の変形例に基づいており、特に、特定の局所的に定められた光学異方性を有する光学異方性材料ＯＡＭが、使用され、それによって、画像モチーフＢＭは、所謂位相画像の意味で生成され、それによって、この画像情報は、画像モチーフＢＭの意味で、対応してアドレス指定された局所光路差ＬＯＧに基づいており、それによって、局所光路差ＬＯＧの値から生じる偏光干渉色ＰＩＦに従って、対応する局所色コントラストを生成することができる。
【００３３】
局所光路差ＬＯＧの各値に基づいて期待される色値は、例えば、レヴィ干渉カラーチャートによって示されており、光学異方性又は局所光路差ＬＯＧの各値と各色との間の割り当てが、示される。
【００３４】
レヴィカラーチャートが、所望のカラーパレットを生成するために必要な局所光路差ＬＯＧを事前に決定することを可能にし、したがって、各色コントラストを個別にデザインするために使用することができるので、この相関は、画像モチーフＢＭのデザインのために有利であり得る。
【００３５】
特定の局所光路差ＬＯＧの、目標の局所的にアドレス指定可能なインプリントは、画像形成層ＢＳにおける設定可能な画像モチーフＢＭの意味において、様々な手段及び方法によって引き起こされ得る。
【００３６】
例えば、特定の透明プラスチック材料（ポリカーボネートなど）若しくは特定の軸延伸フィルム材料（ＢＯＰＰなど）、又は液晶をベースにした対応する材料（反応性メソゲンＲＭなど）を、本発明による方法の意味で使用することができる。
【００３７】
有利には、前記局所光路差ＬＯＧは、前記装飾要素ＤＥの表面における全面又は定められた部分に亘って、特定の設定可能な一定値を有するように、実現される。
【００３８】
好ましくは、前記局所光路差ＬＯＧは、前記装飾要素ＤＥの前記表面における前記定められた部分に対して均一な態様で実現され、前記設定可能な一定値がゼロ付近であり、これによって、前記装飾要素ＤＥの前記均一な表面に対して各前記偏光干渉色ＰＩＦが無彩色に生成される。
【００３９】
このように、装飾要素ＤＥは、１つの特定の均一な明るさのみを有して見える。それぞれの明るさの度合いは、照明の偏光方向に対する偏光層ＰＳの配向の相対的な配置に依存し、それによって、それに応じて相対的な偏光方向が変化されると、最大に輝度化された局所領域が色印象白色を生成する一方、それに応じて薄暗くされた局所領域の場合には、黒色までの各グレー値が知覚される。
【００４０】
さらに、前記機能層ＦＳを形成するために、配向層ＯＳが前記キャリア材料ＴＭに先ず塗布され、液晶をベースにしたＬＣ材料ＬＣが光学異方性材料ＯＡＭとして上部に塗布される。
【００４１】
画像形成層ＢＳの製造及びカラーグラフィックデザインに関連して、好ましくは、液晶をベースにするとともに特定の光学異方性自身を有する材料が使用され、局所光学異方性及び／又は層厚及び／又は目標の方法でアドレス指定可能なアライメントの構造化を引き起こすために、手段が使用され、それによって、局所光路差ＬＯＧの各値を、設定可能な画像モチーフＢＭに従って、特定の設定可能なグラフィック形状にインプリントすることができる。
【００４２】
ＬＣ層ＬＣを生成するために、例えば、反応性メソゲンＲＭを使用することができ、これによって、目標の方法でアドレス指定可能な局所光路差ＬＯＧを有する、それに応じてグラフィカルに構造化された画像形成層ＢＳを、生成することができる。
【００４３】
様々な方法によって、各光軸を定めるとともに一般に透明キャリア材料ＴＭに塗布される配向層は、一般に最初に実現されており、それによって、所望の構造化に従って続いて塗布される反応性メソゲンＲＭの光軸も定められ、その後、それに応じて各メソゲン層も配向され、続いて硬化される（例えば、ＵＶ硬化）。
【００４４】
第１のステップにおいて、例えば、それに応じて構造化された配向層ＯＳは、最初に、適切な透明キャリア材料ＴＭに生成される。このため、様々な利用可能な配向方法（例えば、対応するマスクを使用する特定のフォトリソグラフィ法によるフォトアラインメント）を使用することができ、各選択された異方性領域の各光軸を、目標の方法で整列させることができる。次に、対応する領域に設定可能なこの配向を、ＬＣ層ＬＣに転写し、これを、例えばメソゲン層の形態で、後続のステップにおいて、コーティングする。
【００４５】
次に、画像形成層ＢＳは、設定可能なグラフィック構造による反応性メソゲンＲＭの形態における各ＬＣ層ＬＣに関連する配向層によって、及び様々な方法によって、いくつかの層シーケンスに適用することもでき、それによって、各層構造からそれぞれ生じる局所光路差ＬＯＧのための画像形成層ＢＳを生成するために必要な値を生成することができ、それから、潜像モチーフＢＭを表す。
【００４６】
好ましくは、前記ＬＣ材料ＬＣは、コーティング法とそれに続く硬化法によって、又はプリント技術によって塗布される。
【００４７】
例示的な技術は、スロットダイコーティング又はメイヤーロッドコーティングを含む。
【００４８】
ＬＣ材料ＬＣを塗布する代わりに、光学異方性材料ＯＡＭとしてフィルム材料ＦＯを塗布して機能層ＦＳを形成してもよい。
【００４９】
画像形成層ＢＳを生成するために、フィルム材料ＦＯは、対応するカスタマイズされたプラスチックフィルム（例えば、オラフォル社のオラカルフィルムやＢＯＰＰなどの軸方向に延伸されたフィルム）の形態で市販されているものが使用され、このフィルム材料ＦＯは、既に特定の内部光学異方性を有しているので、本発明による画像形成層ＢＳの生成及びデザインのために用いることができる。この場合、グラフィック画像デザインに利用することができ、及び／又は対応する目標のフォローアップ処理によって特別に修正することもでき、これによって、それぞれの場合に望まれるグラフィック構造の局所光路差ＬＯＧを達成することができる。
【００５０】
前記フィルム材料ＦＯは、好ましくは、積層によって塗布される。
【００５１】
積層プロセスによって、フィルム材料ＦＯを、キャリア材料ＴＭに簡単な方法で接続することができる。
【００５２】
有利には、適切な処理手段によって前記フィルム材料Ｆにおいて目標の空間構造複屈折が誘起される、又は画像モチーフＢＭを生成するために、前記フィルム材料ＦＯにおける既存の固有光学異方性が利用される、及び／又は目的の方法でフォローアップ処理が提供される。
【００５３】
適切なフォローアップ処理は、例えば、各フィルム材料ＦＯにおける光学異方性値の、制御された局所的にアドレス指定可能な変化であり得る。また、異方性を完全に除去し、対応する画像領域を対応配置された等方性領域に変換し、その後、対応する異方性を依然として有する画像領域に対して、対応するコントラストを形成することも、考えられ、それによって、画像に応じたグラフィック構造は、それに応じて、背景から目立つ。
【００５４】
また、有利な点は、各フィルム材料ＦＯに存在する固有の光学異方性における目標の位置特定の除去を引き続き起こすことを目的とするフィルム材料ＦＯの、非常に単純なフォローアップ処理であり、それによって、モチーフの製造及びグラフィックデザインの意味において、各コントラストを生成することができ、それ自体が局所光路差ＬＯＧの特定値を有する各ネガティブ画像モチーフＮＢＭを、フィルム材料ＦＯからカットし、各画像モチーフＢＭに関連する局所光学異方性を意味し、カッティングプロッタ、レーザカッタ又はウォータージェットカッタなどの適切なツールを利用することができる。
【００５５】
有利には、複数の透明光学機能層ＦＳｉは、異なる画像モチーフＢＭｉを有する画像形成層ＢＳｉとして塗布され、定められた方法で互いに重ね合わされ、複合材料Ｖを形成し、結果として生じる相互作用光学機能層ＦＳｒに結合され、前記複合材料Ｖのための結果として生じる有効局所光路差ＬＯＧｒを生成する。
【００５６】
複合材料に結合される場合、異なる各画像形成層ＢＳｉは、それぞれ、特定の層シーケンスに対応して異なる設定可能な、層厚、アライメント、配向及び配置を有してもよく、このようにして複合材料に結合される、結果として生じる光学機能層ＦＳｒのための各有効局所光路差ＬＯＧｒをもたらす。
【００５７】
このようにして、対応して拡張されたカラーパレット及び偏光干渉色ＰＩＦにおける対応する数の異なる色コントラストを含む、非常に複雑なマルチフォーム及び対応する多色のカラーグラフィック画像モチーフＢＭを生成することができ、それによって、その色組成を持つ対応する画像モチーフＢＭを、それに応じてデザインすることができる。
【００５８】
例えば、画像形成層ＢＳの断面におけるアライメントの特定の変更は、各色値に対する追加のデザインオプションを提供しており、これは、特に光学異方性ホイル材料ＦＯを使用する場合に利用することができ、いくつかの積層フィルム（下記参照）を使用する場合に特に有利であり、結果として生じる色値に対する追加のデザインオプションは、断面又は各層における各アライメントの追加の変更によって、可能にする。
【００５９】
有利には、前記光学異方性材料ＯＡＭがフィルム材料ＦＯとして実現される場合、複数のフィルム層ＦＯｉは、積層として前記キャリア材料ＴＭに塗布される。
【００６０】
それに応じて積み重ねられた装飾要素ＤＥにおいて特定の方法で互いに重ね合わされた複数のフィルム層ＦＯｉの、このような配置は、個々のフィルム層ＦＯｉの各々がこの点において画像モチーフＢＭｉを含む特定の画像形成層Ｂｓｉを有し、これらのフィルム層ＦＯｉは、フィルム層ＦＯｉにそれぞれ含まれる異なる局所光路差ＬＯＧｉが、定められた部分的な表面において別のフィルム層ＦＯｉと又はいくつかのフィルム層ＦＯｉと同時に、具体的に積層するように、特定の方法で配置されてもよく、その結果、このようにして、結果として生じる有効局所光路差ＬＯＧｒの値が定められる。これは、次いで、それぞれの位置固有の重ね合わせから構成され、次いで、結果として生じる包括的な画像モチーフＢＭｒを持つ。
【００６１】
イメージモチーフＢＭｉのグラフィックデザインのための追加の手段は、各フィルム層ＦＯｉの各アライメントであってもよく、フィルム層ＦＯｉは、それぞれ、所望の配置及び重複で使用され、各異方性フィルム層ＦＯｉは、それぞれ、具体的な好ましい方向で、既存のアライメントを有する。この文脈では、対応する角度で回転された配向は、各フィルム層ＦＯｉに対して、又はフィルム層ＦＯｉの特定のセクションに対して、配置され、それによって、各局所光路差ＬＯＧｉ及びしたがって結果として生じる各偏光干渉色ＰＩＦｉの色コントラストは、これら各々の互いに対する配向に従って、目標とされ且つ調整された方法で、変更され得る。例示的に、リターダンス値は、通常、整列されたときに増加する一方、９０°回転されたときには、リターダンス値は、それに応じて減少する。
【００６２】
さらに、個々の前記フィルム層ＦＯｉは、特定の定められた局所領域に亘って延びてもよく、各々は、各前記モチーフに基づいて設定可能な、異なる定められた凹部及び／又は切欠きを有してもよい。
【００６３】
したがって、異なるフィルム層ＦＯｉは、互いに部分的に多様に重複しており、多様な画像形成層ＢＳｉにおけるいくつかの異なる層は、前記フィルム層ＦＯｉよって実現され、これらは、複合材料として、それぞれの設定可能な、フィルム厚さ、アライメント、配向及び配置各々で、使用することができる。
【００６４】
共有有効局所光路差ＬＯＧｒは、個々の局所光路差ＬＯＧｉの相互作用及び重ね合わせから、生じる。
【００６５】
さらに、本発明の目的は、本発明に従って製造される装飾要素を以下の方法で使用することによって、達成される。光光学効果が、可変偏光方向を有する非偏光又は偏光を発する外部照明装置ＢＶとの相互作用における光路のみを介して、目的の方法で、生成され且つ影響されており、以下の動作モードが、実現される。ａ）ニュートラルモードＮＭ：前記装飾要素ＤＥが、非偏光によって照らされたときに偏光干渉色ＰＩＦを有さず、したがって、前記画像形成層ＢＳにおける潜在的な前記カラーグラフィックモチーフＦＭは、原則として不可視のままである、ｂ）プレゼンスモードＰＭ：前記装飾要素ＤＥは、偏光で照らされており、前記カラーグラフィックモチーフＦＭは、前記定められた偏光干渉色ＰＩＦに従って、可視的に表示される、ｃ）カラーバリエーションモードＦＶＭ：定められた無段階のカラーバリエーションは、前記カラーバリエーションモードＦＶＭにおいて、カラーグラフィックモチーフＦＭ内の前記定められた偏光干渉色ＰＩＦによって、可能であり、前記装飾要素ＤＥにおける前記カラーバリションは、偏光の偏光方向の変化によってもたらされる。
【００６６】
本発明により製造される１つ又は複数の装飾要素ＤＥは、それぞれ、所望の形状、サイズ及び量で照明装置ＢＶの光場に、導入されることができ、各々が、設定可能な画像モチーフＢＭ(画像構造）を有し、異なる空間距離に配置され、自由に使い捨てできる。
【００６７】
さらに、照明装置ＢＶは、非偏光又は偏光の光と、偏光方向の目標とする変動と、の間における変化を可能にし、照明条件に対応し、対照的に、非偏光の場合には画像構造（ニュートラルモードＮＭ）が何も表示されない等方性光場が、現れる。装飾要素ＤＥを偏光で照らすと、画像形成層ＢＳに含まれる潜像構造が、対応する色コントラスト（プレゼンスモードＰＭ）において対応するグラフィック画像モチーフＢＭとして、可視化される。
【００６８】
また、偏光方向の変化によって、各画像モチーフＢＭに含まれる各偏光及び干渉色ＰＦを、同じ意味で、変化させることができる（カラーバリエーションモードＦＶＭ）。
【００６９】
装飾要素ＤＥ、又は偏光によっても照らされる特定のオブジェクト若しくはアイテムの環境は、完全に変化しないように見える。
【００７０】
本発明による偏光を有する照明の特別な特徴は、偏光が、肉眼では知覚できない非常に特別な光特性を示し、したがって偏光と非偏光との間の差が、目立たないことである。
【００７１】
このため、肉眼で観察される光の質及び明るさは、非偏光と偏光との間で切り換えた場合にも、また偏光方向を変えた場合にも、全てのケースで、変わらないままであり、したがって、ランプ光による通常の照明と異なることはない。
【００７２】
照明のパーツに関する上述の特殊な光特性とは別に、光光学機能は、装飾要素ＤＥにおいてこの場合に使用される画像形成層の材料特性における追加の特別な特徴にも基づいており、これは、完全に透明な材料特性のために、一般に偏光を有さない通常の照明条件において、光学異方性の場合には、この材料内でも見えない構造であり、光学異方性材料も連続的に透明に見え、それに応じて構造化された偏光干渉色ＰＩＦは、偏光で照らされたときにのみ可視化される。
【００７３】
照明装置ＢＶと自由に配置可能な装飾要素ＤＥとの間における空間的な分離は、実施形態及び配置に応じて、装飾要素ＤＥを、透過ケースにおける透過光又は反射ケースにおける反射光において、使用することができるという点で、有利である。
【００７４】
さらに、本発明により製造された装飾要素ＤＥは、各装飾要素ＤＥ自体を意味し、特定の潜像モチーフＢＭを含み、この場合、特定の光学材料特性の形態で存在し、実際の材料内部空間構造を有することが、有利である。したがって、各光源によって全て照らされる任意の数の装飾要素ＤＥの配置は、したがって、共通の画像投影とは根本的に異なる。
【００７５】
これは、形成され且つ個別に寸法の異なる各装飾要素ＤＥが、所望の空間配置で且つ各々が異なる空間深度を有する、指定された数の追加の装飾要素ＤＥと共に、単一の光源（照明装置ＢＶ）によって、共同で照らされることができるためであり、各装飾要素ＤＥは、各々が異なる画像モチーフＢＭｉを別々に持つことができ、全ての装飾要素ＤＥは、これらの各空間配置で任意に移動することができる。
【００７６】
対照的に、従来の画像投影は、常に、特定の撮像光学系及び対応するスクリーンを必要とし、このスクリーンでは、ただ一つのプロジェクタから投影された各単一の画像が、設定された空間深度を有するただ１つの単一の画像平面にのみ鮮明に描写することができ、投影からの各画像は、スクリーンからの単一の定められた距離に関してのみ、焦点を合わせることができる。
【００７７】
さらに、装飾要素ＤＥは、パッシブ材料のみからなり、したがって、可動部品も電子要素もいずれも含んでおらず、また、電線からのいかなる電力供給も必要としないことが、有利である。
【００７８】
それにもかかわらず、各光学的外観の能動的に制御可能な変動は、不可視の方法で、これらのパッシブ装飾要素ＤＥにおける光路のみを介して行うことができ、これによって、例えば、プレゼンスモードＰＭの場合における画像モチーフＢＭの可視性、又はニュートラルモードＮＭの場合におけるその不可視性、及びカラーバリエーションモードＦＶＭの場合におけるカラーコントラストの変動のような、特定の動作モードを、照明のパーツ上で自由に選択することができる。
【００７９】
前記照明装置ＢＶにおける前記動作モード（ニュートラルモードＮＭ、プレゼンスモードＰＭ及びカラーバリエーションモードＦＶＭ）の選択及び実行は、偏光フィルターＰＦにより実現される調整手段Ｍ及び前記照明の光路におけるその各位置によって行われる。
【００８０】
好ましくは、前記調整手段Ｍによる特定の動作モードの選択及び実行は、ａ）前記偏光フィルターＰＦを前記光路から除去することによって前記ニュートラルモードＮＭに対して、ｂ）前記偏光フィルターＰＦを前記光路に導入することよって前記プレゼンスモードＰＭに対して、及びｃ）前記偏光フィルターＰＦを適切に回転させることによって前記カラーバリエーションモードＦＶＭに対して、行われており、前記ニュートラルモードＮＭにおける消失と、前記プレゼンスモードＰＭにおける視認と、前記カラーバリエーションモードＦＶＭにおける前記カラーバリエーションと、の間で任意に切り換え可能である。
【００８１】
さらに、装置の観点から、本発明によって製造される装飾要素は、建物の外部領域に光光学効果を生じさせるための建築要素として、又は、インテリアデザイン若しくはオブジェクトデザインのためのデザイン要素として、使用されることを意図されている。
【００８２】
例えば、ファサード、壁カバー、天井要素、床カバーの一部として、又は家具、ランプ若しくは一般的の設備オブジェクトなどの多様なデザインオブジェクトの一部としての、使用が、可能であると思われる。
【００８３】
特に、符号保持要素としての装飾要素ＤＥの実施形態が、有利である。
【００８４】
本発明によって製造される装飾要素ＤＥは、光学誘導システム用などの符号保持要素として、又は広告スペース用の画像保持及びテキスト保持要素として、使用されることができる。
【００８５】
さらに、前記装飾要素ＤＥの使用は、純粋にパッシブ材料からなる前記装飾要素の機械的処理、切断、又は適切なカスタマイズが、一般的な工具を用いて実現される場合に、有利である。
【００８６】
装置の観点から、本発明によって製造される装飾要素ＤＥのさらなる使用は、ゼロ付近に設定可能な一定値を有する反射偏光層ＰＳｒ及び局所光路差ＬＯＧを備え、前記装飾要素ＤＥは、表示されるオブジェクトＯが提示される背景面Ｈとして配置されており、前記オブジェクトＯ及び前記背景面Ｈは、照明装置ＢＶによって共同で照らされており、その結果、前記オブジェクトＯ及び前記背景Ｈの両方を含む光場ＬＦにおける光度が変化しない場合に、前記共同で照らされる前記オブジェクトＯの輝度が前記照明装置ＢＶの偏光方向を変化させることによって変化しないままの一方、前記背景面Ｈの輝度のみが無段階に調光可能である。
【００８７】
さらなる有利な特徴は、例を用いて本発明の好ましい実施形態を説明する以下の記載及び図面から導出することができる。
【図面の簡単な説明】
【００８８】
【図１】図１は、本発明によって製造される装飾要素ＤＥの概略構造を、示す。
【図２】図２は、照明装置ＢＶの概略配置を、示す。
【図３】図３は、ある角度でオフセットされた画像形成層ＢＳ及び３つの画像形成層ＢＳ１，ＢＳ２，ＢＳ３の三重重ね合わせの概略図を、示す。
【図４】図４は、部分的に重複する２つの画像形成層ＢＳｉの概略図を、示す。
【図５】図５は、装飾要素ＤＥに配置されたオブジェクトＯと共に使用する例を、示す。
【図６】図６は、ＬＣ材料ＬＣをベースにした装飾要素ＤＥの製造方法の概略図を、示す。
【図７】図７は、２つのフィルム層ＦＯｉを有する装飾要素ＤＥの使用例を、示す。
【発明を実施するための形態】
【００８９】
図１は、画像形成層ＢＳと、キャリア層ＴＭと、偏光層ＰＳと、機能層ＦＳと、を有する装飾要素ＤＥの概略デザインを示し、画像形成層ＢＳは、局所光路差ＬＯＧの形態で存在し、それによって、それぞれの偏光干渉色ＰＩＦは、画像モチーフＢＭに応じて現れる。
【００９０】
図２は、光源Ｌ及び偏光方向に関して可変である偏光フィルターＰＦからなる照明装置ＢＶの概略配置を示し、照明装置ＢＶは、偏光ＰＬを発する。
【００９１】
図３は、画像モチーフＢＭを構成する画像形成層ＢＳの概略図と、同じ画像モチーフＢＭを有し、画像形成層ＢＳ１，ＢＳ２，ＢＳ３が、特定の角度で互いに対してそれぞれオフセットして、したがって互いの上に積み重ねて配置された、３つの同一の画像形成層ＢＳ１，ＢＳ２，ＢＳ３の重ね合わせを、示す。
【００９２】
図４は、２つの画像形成層ＢＳ１及びＢＳ２の概略図を示し、各々は、部分的な重複及び重ね合わせに含まれる異なる画像モチーフを有し、結果として生じる対応する有効局所経路差ＬＯＧｒは、重ね合わせの結果として生じる。
【００９３】
図５は、使用例の概略図を示し、装飾要素ＤＥに位置する背景ＨとランダムオブジェクトＯとの間の輝度コントラストは、変更可能であり、照明装置ＢＶから発する光場ＬＦの中央に位置する背景Ｈの輝度は、照明装置ＢＶにおける偏光フィルターＰＦよって可変である。
【００９４】
図６は、（装飾要素ＤＥの）画像形成層ＢＳを液晶材料ＬＣを用いて生成するための、特にメソゲン層ＭＳを塗布するための、製造方法の概略図を示し、メソゲン層ＭＳは、対応して（局所的に）アドレス指定可能な局所光路差ＬＯＧに従って、それぞれの画像モチーフＢＭを生成する。
【００９５】
局所座標ｘ、ｙに従った対応する空間分布における反応性メソゲンＲＭは、対応するコーティングツールＢＷを有する装置によって、画像形成構造化（画像モチーフＢＭ）に従って、対応して配向された配向層ＯＳに、塗布される。
【００９６】
図７は、使用例の概略図を示しており、特定の且つしたがって結果として生じる画像情報ＢＩｒをデザインするために、特定の光学異方性フィルム層ＦＯｉ(フィルム材料）は、積層配置の形態で、対応する部分的な重複を伴って、使用されており、ここでは、２つのフィルム層ＦＯ１，ＦＯ２は、異なる画像モチーフＢＭ１，ＢＭ２を有する例示的な方法で示されており、これらの画像モチーフＢＭ１，ＢＭ２は、それぞれ、それらの周囲とは対照的であり、そのために、画像モチーフＢＭ１，ＢＭ２の各々を取り囲む局所領域ＮＢＭ１，ＮＢＭ２は、対応して目立たなければならない、又は単に各フィルムから切り取られることができる。
【図１】
2022500686.tif 000003
【図２】
2022500686.tif 000004
【図３】
2022500686.tif 000005
【図４】
2022500686.tif 000006
【図５】
2022500686.tif 000007
【図６】
2022500686.tif 000008
【図７】
2022500686.tif 000009
【国際調査報告】
2022500686.tif 000010
2022500686.tif 000011
2022500686.tif 000012
2022500686.tif 000013
2022500686.tif 000014